(57)【要約】      （修正有）【課題】チェンによる押圧を可能とすること。【解決手段】互いに対向し、ピン嵌合孔を有するピンリンクプレートと、互いに対向し、ブシュ嵌合孔を有するブシュリンクプレートと、前記ブシュ嵌合孔に嵌合し、ピン貫通孔を有するブシュと、前記ピン貫通孔の内側に挿通され、前記ピン嵌合孔に嵌合され、ピンリンクプレートの外側に突出した部分に係合部が設けられるピンと、互いに対向し、前記ピンリンクプレートの外側に設けられ、前記係合部と係合するピン係合孔を有するガイドプレートを有するチェンと、前記ガイドプレートと前記ピンリンクプレートを接触させる方向にガイドすることで前記係合部と、前記ピン係合孔を係合させる狭幅ガイド部８０と、前記ガイドプレートと前記ピンリンクプレートを離隔させる方向にガイドすることで前記係合部と前記ピン係合孔との係合を解く拡幅ガイド部７０を設けた。【選択図】図２
2017180670.tif 000002
【特許請求の範囲】
【請求項１】
互いに対向し、ピン嵌合孔を有するピンリンクプレートと
互いに対向し、ブシュ嵌合孔を有するブシュリンクプレートと、
前記ブシュ嵌合孔に嵌合し、ピン貫通孔を有するブシュと、
前記ピン貫通孔の内側に挿通され、前記ピン嵌合孔に嵌合され、ピンリンクプレートの外側に突出した部分に係合部が設けられるピンと、
互いに対向し、前記ピンリンクプレートの外側に設けられ、前記係合部と係合するピン係合孔を有するガイドプレートを有するチェンと、
前記ガイドプレートと前記ピンリンクプレートを接触させる方向にガイドすることで前記係合部と、前記ピン係合孔を係合させる狭幅ガイド部と、
前記ガイドプレートと前記ピンリンクプレートを離隔させる方向にガイドすることで前記係合部と前記ピン係合孔との係合を解く拡幅ガイド部を備えることで、
押圧することを可能としたチェンシステム。
【発明の詳細な説明】
【技術分野】
【０００１】
本発明は、チェンに関するものである。
【背景技術】
【０００２】
図６はチェンの構成の一種を示す図である。
【０００３】
チェン１６０は互いに対向する板状のピンリンクプレート１６２を有しており、ピンリンクプレート１６２は両端にそれぞれピン挿通孔を有している。
【０００４】
また、チェン１６０は互いに対向する板状のブシュリンクプレート１６４を有しており、ブシュリンクプレート１６４は両端にそれぞれブシュ嵌合孔を有している。
ブシュ嵌合孔には円筒状のブシュ１６６の両端の嵌合部がそれぞれ嵌合され、ブシュ１６６の外周には円筒状のローラ１６８が回転可能に取り付けられている。
【０００５】
ブシュ１６６には両端にブシュリンクプレート１６４のブシュ嵌合孔に嵌合する嵌合部が設けられ、また、中心部にピン１７０が貫通するピン貫通孔が設けられている。
【０００６】
また、チェン１６０は棒状のピン１７０を有している。
ピン１７０は円柱状の本体がブシュ１６６のピン貫通孔に挿通され、端部がピンリンクプレート１６２に係止される。
【０００７】
チェン１６０は以上のように組み立てられることにより、連結し、円柱状のピンと円筒状のブシュが相互に回転するので、屈曲自在に連結される。
【先行技術文献】
【特許文献】
【０００８】
【特許文献１】特開2014-1763
【発明の概要】
【発明が解決しようとする課題】
【０００９】
例えば、川などに設けられる水門の上げ下げにチェンを用いることがある。水門を上げる際にはチェンを巻き上げて水門を上げ、下ろす際には水門自体の自重で川底に下りていくようにすることにより、水門の上げ下げ、ひいては開閉をすることができる。
【００１０】
しかし、川の水流が強いなどの理由により、水門の自重だけでは川底まで水門を下ろすことができない場合がある。
【００１１】
従来のチェンでは、ピンとブシュが相互に回転し屈曲するので、引っ張る力を伝えることはできるが、押す力を伝えることはできないが、本発明は、例えばこのようなケースで、チェンでつないでいる水門を川底まで下ろすことができるよう、押すことのできるチェンを提供することを課題とするものである。
【課題を解決するための手段】
【００１２】
本発明は、上記課題を解決するためになされたものであり、
互いに対向し、ピン嵌合孔を有するピンリンクプレートと、
互いに対向し、ブシュ嵌合孔を有するブシュリンクプレートと、
前記ブシュ嵌合孔に嵌合し、ピン貫通孔を有するブシュと、
前記ピン貫通孔の内側に挿通され、前記ピン嵌合孔に嵌合され、ピンリンクプレートの外側に突出した部分にガイドプレート係合部が設けられるピンと、
互いに対向し、前記ピンリンクプレートの外側に設けられ、前記ガイドプレート係合部と係合するピン係合孔を有するガイドプレートを有するチェンと、
前記ガイドプレートと前記ピンリンクプレートを接触させる方向にガイドすることで、前記ガイドプレート係合部と前記ピン係合孔を係合させる狭幅ガイド部と、
前記ガイドプレートと前記ピンリンクプレートを離隔させる方向にガイドすることで、前記ガイドプレート係合部と前記ピン係合孔との係合を解く拡幅ガイド部を備えたことを特徴とするものである。
【発明の効果】
【００１３】
このような本発明によれば、
互いに対向し、ピン嵌合孔を有するピンリンクプレートと、
互いに対向し、ブシュ嵌合孔を有するブシュリンクプレートと、
前記ブシュ嵌合孔に嵌合し、ピン貫通孔を有するブシュと、
前記ピン貫通孔の内側に挿通され、前記ピン嵌合孔に嵌合され、ピンリンクプレートの外側に突出した部分にガイドプレート係合部が設けられるピンと、
互いに対向し、前記ピンリンクプレートの外側に設けられ、前記ガイドプレート係合部と係合するピン係合孔を有するガイドプレートを有するチェンと、
前記ガイドプレートと前記ピンリンクプレートを接触させる方向にガイドすることで、前記ガイドプレート係合部と前記ピン係合孔を係合させる狭幅ガイド部と、
前記ガイドプレートと前記ピンリンクプレートを離隔させる方向にガイドすることで、前記ガイドプレート係合部と前記ピン係合孔との係合を解く拡幅ガイド部を備えることにより、
チェンで押圧することが可能となり、例えば、川の水流が強いなどの理由により、水門の自重だけでは川底まで水門を下ろすことができない場合に、チェンでつないでいる水門を川底まで下ろすことができるよう、押すこと等ができるようになる。
【図面の簡単な説明】
【００１４】
【図１】本発明の実施の形態に係るチェンの全体図であり、（ａ）が上面図、（ｂ）が正面図である。
【図２】本発明の実施の形態に係るチェンシステムを示す図であり、（ａ）が上面図、（ｂ）が正面図、（ｃ）が側面断面図である。（ｃ）は、（ｂ）の直上の箇所の断面を示したものである。
【図３】ガイドプレートの全体図であり、（ａ）が上面図、（ｂ）が正面図である。
【図４】ピンの全体図であり、（ａ）が上面図、（ｂ）が正面図である。
【図５】本発明の実施の形態に係るチェンが屈曲した状態を示す図である。
【図６】従来のチェンを示す図である。
【発明を実施するための最良の形態】
【００１５】
以下、本発明の実施の形態について説明する。従来例と同様の箇所については、説明を省略する。
【００１６】
図１は、本発明の実施の形態に係るチェン２の全体図であり、（ａ）が上面図、（ｂ）正面図である。図２は、本発明の実施の形態に係るチェンシステム４を示す図であり、（ａ）が上面図、（ｂ）が正面図、（ｃ）が側面断面図である。図３はガイドプレート３０を示す図であり、図４はピン４０を示す図である。
【００１７】
図４に示すように、本発明の実施の形態に係るチェン２のピン４０には、ピンリンクプレート１０の外側に突出する部分にガイドプレート係合部４２が設けられる。ガイドプレート係合部４２は、本実施の形態では、図４に示すように、ピン４０がピンリンクプレート１０に嵌合する部位と一体に形成され、その断面形状は円の上下を直線で切り欠いた形状である。
本実施の形態では、ピンリンクプレート１０に嵌合する部位と一体的に形成されているが、別の形にしてもかまわない。しかし、ピンリンクプレート１０に嵌合する部位と一体的に形成する方が便宜であろう。
【００１８】
図３に示すように、ガイドプレート３０に設けられるピン係合孔３２も、円の上下を直線で切り欠いた形状である。ピン４０に設けられるガイドプレート係合部４２と、ガイドプレート３０に設けられるピン係合孔３２は、ガイドプレート係合部４２がピン係合孔３２に係合するように略同じ大きさである。
ガイドプレート係合部４２及びピン係合孔３２は、係合した時にガイドプレート３０とピン４０が相対回転しないようにすれば足りるため、円の上下を直線で切り欠いた形状に限らず、相対回転しない形状であれば他の形状でもよい。
【００１９】
ピン４０におけるガイドプレート係合部４２の外側の縮径部４４は、ガイドプレート３０のピン係合孔３２の中で回転可能な円柱状に形成される。縮径部４４の径がピン係合孔３２の中で回転可能なように縮径されているので、ガイドプレート３０、すなわちガイドプレート３０のピン係合孔３２が、ピン４０のガイドプレート係合部４２の外側に位置する場合はガイドプレート３０に対してピン４０が回転可能であるため、ガイドプレート３０とピンリンクプレート１０は相対回転可能な状態となる。
【００２０】
縮径部４４の端の方にＴピン４８などを留めることにより、ガイドプレート３０がピン４０から抜けて脱落してしまうのを防止する。
【００２１】
図１（ａ）中の左側に示す、係合状態Ａにおいては、ガイドプレート３０とピンリンクプレート１０は、近接・接触する。この状態において、ガイドプレート３０のピン係合孔３２に係合するように、ピン４０にはガイドプレート係合部４２が設けられる。そして、ガイドプレート係合部４２とピン結合孔３２が係合すると、両者がともに円の上下を直線で切り欠いた形状であり、また、略同じ大きさであるためガイドプレート３０とピンリンクプレート１０は直線状で相対回転しない状態となる。また、ガイドプレート３０の内側に並行するブシュリンクプレート２０とピンリンクプレート１０も相対回転しない状態となるため、チェン２により押すことも可能となる。
【００２２】
図１（ａ）中の右側に示す、非係合状態Ｂにおいては、ガイドプレート３０とピンリンクプレート１０は、離隔する。そして、離隔した状態においては、ピン係合孔３２とガイドプレート係合部４２は係合しないので、ガイドプレート３０とピンリンクプレート１０、ピンリンクプレート１０とブシュリンクプレート２０、及びピン４０とブシュ５０は相対回転することが可能な状態となり、チェン２は屈曲することが可能な状態になる。
【００２３】
以上のように、係合状態Ａにおいては、ピン４０とブシュ５０が相対回転しない状態となり、押すことも可能となり、非係合状態Ｂにおいては、ピン４０とブシュ５０が相対回転することが可能で屈曲可能となるわけであるが、非係合状態から係合状態へ移行、また、逆に、係合状態から非係合状態に移行させるために、ガイド部を設ける。
【００２４】
具体的には、スプロケットに巻きついた状態から、チェンが直線状となる部分から、スプロケットから離れていく箇所に、後述の拡幅ガイド部・狭幅ガイド部を設ける。
【００２５】
拡幅ガイド部７０は、ガイドプレート３０間を拡げ、ガイドプレート３０とピンリンクプレート１０を離隔させ、ガイドプレート係合部４２とピン係合孔３２の係合を解く状態（非係合状態）にガイドする部分である。非係合状態においては、ピン係合孔３２には縮径部４４が入った状態となる。
【００２６】
狭幅ガイド部８０は、ガイドプレート間３０を狭め、ガイドプレート３０とピンリンクプレート１０を近接させ、ガイドプレート係合部４２とピン係合孔３２を係合させる状態（係合状態）に導くようガイドする部分である。係合状態においては、ピン係合孔にガイドプレート係合部が係合し、ガイドプレートとピンは相対回転しない状態となる。
【００２７】
本実施の形態では、拡幅ガイド部７０と狭幅ガイド部８０を分離して設ける例を示したが、拡幅ガイド部と狭幅ガイド部を一体的に形成してもよい。
【００２８】
図２（ａ），（ｂ）中の左方向にチェン２が進行する場合には、右のリンクにおいて、ガイドプレート３０とピンリンクプレート１０が離隔した状態から、狭幅ガイド部８０のテーパ８２にガイドプレート３０のテーパが案内され、ガイドプレート３０はピンリンクプレート１０に接触する方向に移動する。そして、ガイドプレート係合部４２とピン係合孔３２が係合し、ガイドプレート３０とピンリンクプレート１０、ひいてはピンリンクプレート１０とブシュリンクプレート２０は直線状で、相対回転しない状態になり、押圧することが可能な状態となる。
【００２９】
逆に図２（ａ），（ｂ）中の右方向にチェン２が進行する場合には、左のリンクにおいて、ガイドプレート３０とピンリンクプレート１０が接触した状態から、拡幅ガイド部７０のテーパ７２にガイドプレート３０のテーパが案内され、ガイドプレート３０はピンリンクプレート１０から離隔する方向に移動する。そして、ガイドプレート係合部４２とピン係合孔３２の係合が解かれ、ガイドプレート３０とピンリンクプレート１０、ひいてはピンリンクプレート１０とブシュリンクプレート２０は相対回転可能な状態となり、図５のように屈曲可能な状態となり、スプロケット９０に巻きつけることなどが可能となる。
【００３０】
図２では、チェン２の進行を左右方向に示したが、例えば水門の上げ下げにチェンを用いる場合は、図２中の右が鉛直方向の上側となり、図２中の左が鉛直方向の下側とすることにより、水門を下げる際に下方向に押圧することができることとなる。
【００３１】
ガイドプレート３０のピン係合孔３２の軸線がピン４０の軸線から外れないよう、図２に示すように、ブシュリンクプレート２０とガイドプレート３０に、ガイドピン６０を設ける。ガイドピン６０は、ブシュリンクプレート２０のガイドピン嵌合孔２２に嵌合する。ガイドピン６０は、また、ガイドプレート３０のガイドピン係合孔３８に挿入されるが、ガイドプレート３０とは、ガイドプレート３０が係合状態から非係合状態、また、非係合状態から係合状態に移行できるよう、緩く係合するにとどまる。
このガイドピン６０により、ガイドプレート３０がピン４０との係合状態から非係合状態、また、非係合状態から係合状態への移動をガイドプレート３０が繰り返しても、ガイドプレート３０のピン係合孔３２の軸線はピン４０の軸線から外れないようにすることができる。
【００３２】
このように本発明の実施の形態に係るチェンによると、チェンにより押すことができるようになるので、例えばチェンにより水門を上げ下げする場合に、水流に逆らって、水門を下に押すことができ、水門を川底まで確実に下ろすことができるようになる。
【符号の説明】
【００３３】
２  チェン
４  チェンシステム
１０  ピンリンクプレート
２０  ブシュリンクプレート
３０  ガイドプレート
３２  ピン係合孔
３４・３６  テーパ面
３８  ガイドピン係合孔
４０  ピン
４２  ガイドプレート係合部
４４  縮径部
４６  Ｔピン挿通孔
４８  Ｔピン
５０  ブシュ
６０  ガイドピン
Ａ  係合状態
Ｂ  非係合状態
７０  拡幅ガイド部
７２  テーパ面
８０  狭幅ガイド部
８２  テーパ面
９０  スプロケット
１６０  チェン
１６２  ピンリンクプレート
１６４  ブシュリンクプレート
１６６  ブシュ
１６８  ローラ
１７０  ピン
【図１】
2017180670.tif 000003
【図２】
2017180670.tif 000004
【図３】
2017180670.tif 000005
【図４】
2017180670.tif 000006
【図５】
2017180670.tif 000007
【図６】
2017180670.tif 000008